(57)【要約】電流ブーストモジュール（１０８）は、バッファ（１０４）がロジック状態間を遷移するか否かを判断するために、バッファ（１０４）の入力と出力から信号を受信する。バッファが遷移する場合、ブースト電流は、バッファ出力からの電流を補足するために、バッファ出力に接続される負荷に供給される。よって、負荷における信号遷移を容易にする。電流ブーストモジュールは、負荷における信号が或るロジック状態から他の状態への遷移完了前に、ブースト電流をシャットダウンできる。
2009527992.tif 000002
【特許請求の範囲】
【請求項１】
電子装置であって、前記電子装置は、
バッファ入力とバッファ出力を有するバッファと、
前記バッファ出力に結合される相互接続部と、
電流ブーストモジュールと
を備え、
前記電流ブーストモジュールは、
前記バッファ入力に結合される第１ブースト入力と、
前記相互接続部に結合される第２ブースト入力と、
前記相互接続部に結合されるブースト出力と
を有し、
前記電流ブーストモジュールは、前記バッファがロジック状態間を何時に遷移するか検出し、前記遷移の検出に応答して前記相互接続部における信号遷移を容易にすべくブースト電流を供給する、電子装置。
【請求項２】
前記電子装置は更に受信駆動装置を備え、
前記受信駆動装置は受信入力と駆動出力を有し、
前記受信入力は前記相互接続部に結合され、
前記受信駆動装置は、前記受信入力における信号に応答して、前記駆動出力における出力信号を生成するように構成される、請求項１記載の電子装置。
【請求項３】
前記受信入力は、０ボルト〜１．３ボルトの間において変化する電圧に応答する、請求項２記載の電子装置。
【請求項４】
前記受信駆動装置はデータバス駆動装置である、請求項３記載の電子装置。
【請求項５】
前記電子装置は更に、前記駆動出力に結合される動画モジュールと音声モジュールのうちの１つを備える、請求項３記載の電子装置。
【請求項６】
前記受信駆動装置の閾値電圧は、約０．５ボルト〜０．７ボルトの間にある、請求項３記載の電子装置。
【請求項７】
前記電流ブーストモジュールは、ロジック状態間の遷移が完了していないことの検出に応答して、更に前記ブースト電流を供給する、請求項１記載の電子装置。
【請求項８】
電子装置のスイッチング遅延を低減するスイッチング遅延低減方法であって、前記スイッチング遅延低減方法は、
バッファ入力において第１信号を検出することと、
バッファ出力において第２信号を検出することと、
前記第１信号と前記第２信号の検出に応答してバッファがロジック状態間を遷移する遷移状態であると判断した場合、前記バッファ出力に結合される相互接続部にブースト電流を供給することと
を含む、スイッチング遅延低減方法。
【請求項９】
前記ブースト電流の供給は、ロジック状態間の前記バッファの遷移期間のうちの一部の期間のみにおいて行われる、請求項８記載のスイッチング遅延低減方法。
【請求項１０】
前記第１信号は、０ボルト〜１．３ボルトの電圧範囲を有する、請求項８記載のスイッチング遅延低減方法。
【請求項１１】
前記ブースト電流の供給は、前記バッファ入力における入力信号を受信する時刻と、前記バッファ出力が異なる状態に遷移する時刻との間において行われる、請求項８記載のスイッチング遅延低減方法。
【請求項１２】
前記相互接続部には第２装置が結合され、前記第２装置は前記相互接続部に結合される入力と、出力とを備え、
前記ブースト電流の供給は、前記バッファ入力と、前記第２装置の前記出力における対応する信号遷移との間の信号遷移遅延を低減すべく、前記相互接続部におけるスルーレートを増加させる、請求項１１記載のスイッチング遅延低減方法。
【請求項１３】
前記ブースト電流の供給は、前記相互接続部におけるスルーレートを約０．５Ｖ／ｎｓ以上で増加させる、請求項８記載のスイッチング遅延低減方法。
【請求項１４】
前記スイッチング遅延低減方法は更に、前記相互接続部における信号に応答する受信駆動装置を介して、多宛先データバスによってデータ送信することを含む、請求項８記載のスイッチング遅延低減方法。
【請求項１５】
前記ブースト電流は、前記第２信号の遷移期間のうちの一部の期間のみにおいて供給される、請求項８記載のスイッチング遅延低減方法。
【請求項１６】
前記ブースト電流の供給が行われる前記第２信号の遷移期間のうちの一部の前記期間は、トランジスタの電圧閾値に基づく、請求項１５記載のスイッチング遅延低減方法。
【請求項１７】
電子装置のスイッチング遅延を低減するスイッチング遅延低減方法であって、前記スイッチング遅延低減方法は、
第１バッファとブーストモジュールに入力信号を供給することと、
第２バッファの入力に結合される相互接続部に、第１電流を供給するために前記第１バッファからの出力信号を供給することと、および
前記ブーストモジュールから前記相互接続部に、異なるロジック状態への前記第２バッファの遷移を容易にすべく第２電流を供給することと
を含む、スイッチング遅延低減方法。
【請求項１８】
前記入力信号は０ボルト〜１．３ボルトの電圧範囲を有する、請求項１７記載のスイッチング遅延低減方法。
【請求項１９】
前記第２電流の供給は、前記相互接続部における信号のスルーレートを増加させる、請求項１７記載のスイッチング遅延低減方法。
【請求項２０】
前記第２電流の供給は、前記第１バッファの入力から前記第２バッファの出力への信号遷移遅延を１０パーセント以上低減する、請求項１７記載のスイッチング遅延低減方法。
【発明の詳細な説明】
【技術分野】
【０００１】
本開示は概して電子装置に関し、特に電気回路のスイッチング遅延を低減する電子装置とスイッチング遅延低減方法に関する。
【背景技術】
【０００２】
モバイル電子装置のサイズを低減し、且つモバイル電子装置の電池寿命を増大させるべく、一層低い動作電圧の設計が利用する。
【発明の開示】
【発明が解決しようとする課題】
【０００３】
しかし、低電圧回路の設計者は多くの課題に直面する。課題の１つは、低電圧回路における望ましくないスイッチング雑音のレベルを制御することである。低電圧設計や低雑音設計は、典型的には一層低いスルーレート、一層長い不感期間、および一層長い信号伝搬時間を有する。スルーレートは、信号電圧が変化する速度である。不感期間は、信号が装置の入力に与えられる場合と、装置が出力において他の状態に切換わる場合との間の時間遅延である。典型的なトランジスタは、それらの入力信号がトランジスタの閾値電圧に達するまで変化を開始しない。１．４ボルト未満の電源回路を必要とする幾つかの低電圧回路標準は、ＣＭＯＳトランジスタのようなトランジスタの供給電圧の約２分の１に等しい閾値電圧をもたらすことがある。この構成ではトランジスタの入力信号は、トランジスタの出力の切換開始前に、遷移値全体の約半分に遷移しなければならない。この現象は長い不感期間を生じさせることがある。ここで信号遷移は、クロック周期のうちの大きい割合で回路入力において存在する一方、回路出力においては生じない。従って、信号伝搬時間を低減できる回路が必要である。
【課題を解決するための手段】
【０００４】
本開示によれば、スイッチング回路の不感期間を低減できる装置と方法が開示される。スイッチング回路は、データバス駆動装置のような第２バッファ（二次バッファ）を駆動する、第１バッファを備えることができる。ここで開示される装置と方法は、信号遷移のうちの第１遷移部分の期間、第１バッファの出力に接続される相互接続部における信号遷移をスピードアップすべく、ブースト電流を供給できる。ブースト電流の供給は、スイッチング回路の不感期間を低減できる。ブースト電流は、相互接続部における信号遷移のうちの第２遷移部分の期間、遮断できる。よって、望ましくない雑音をもたらしうる信号オーバーシュートを、防止する。他の実施形態において第１バッファは、第１バッファから信号を受信する第２バッファを駆動できる。第２バッファは、バス駆動装置のような出力負荷を駆動する反転バッファまたは非反転バッファのような、任意の種類のスイッチング回路である。ここでは第２バッファは、「受信駆動装置」（受信／駆動装置）と称される第２装置である。
【０００５】
本開示の一実施形態によれば、スイッチング回路またはスイッチングモジュールは、電流ブーストモジュールを有することができる。電流ブーストモジュールは、バッファの入力における信号と、バッファの出力における信号とを受信する。電流ブーストモジュールは、バッファ入力とバッファ出力から信号を受信することによって、バッファがロジック状態間を遷移する過程にあるか否か判定する。バッファ遷移を検出した場合、電流ブーストモジュールは、負荷（たとえば相互接続部）を駆動するバッファの能力を促進するために、バッファ出力にブースト電流を供給できる。
【０００６】
一実施形態において、電流ブーストモジュールは、何時にブースト電流を供給するか、また何時にブースト電流の供給を止めるかを判断する。電流ブーストモジュールは、バッファの出力ノードの電圧が所定電圧値に達するのに応答して、ブースト電流の供給を止めることができる。所定電圧値は、電流ブーストモジュールにおけるトランジスタの閾値電圧のようなものである。所定電圧値は、バッファ出力によって駆動される相互接続部における信号が、所望電圧値をオーバーシュートせず、スイッチング雑音を生じさせないであろうことを保証する。対応して、受信駆動装置のようにバッファ出力に接続される下流装置は、相互接続部における信号によって状態遷移し、低電圧設計に応じてデータバスまたは他の負荷に信号を送信できる。
【０００７】
本開示は、添付図面を参照することによって一層良く理解されることが可能であり、その多くの特徴と利点は当業者に明白になり、同様の参照符号は同様または同一の要素を示す。
【発明を実施するための最良の形態】
【０００８】
図１のブロック図は、スイッチング装置１００を示す。スイッチング装置１００は、第１サブシステム１０２と第２サブシステム１１０の間においてデータ信号を提供できる典型的なスイッチングモジュールである。スイッチング装置１００は、バッファ１０４、電流ブーストモジュール１０８、および受信駆動装置１０６を備えることができる。受信駆動装置１０６は、自身が複数のモジュールまたは構成要素を備えることができる受信駆動モジュールまたは受信駆動回路である。受信駆動装置１０６は、データバス上の複数の宛先に信号を送信するロバストな駆動装置であることができる。複数の宛先は、第２サブシステム１１０であることができる。第２サブシステム１１０は、内部サブシステムであることもあるし、複数の外部サブシステムに信号を送信する一つの外部サブシステムであることもある。内部サブシステムと外部サブシステムの例は、メモリサブシステム、画像処理サブシステム、音声処理サブシステムなどを含む。このように受信駆動装置１０６は、同一の集積回路上に存在するか、または外部モジュールに信号を供給するモジュールを駆動できる。
【０００９】
一実施形態において、スイッチング装置１００は、携帯電話用プロセッサインタフェース（ＭＩＰＩ）仕様に準拠できる。ＭＩＰＩ仕様は、低動作電圧、低信号電圧、および低騒音レベルを識別する。このように開示されたスイッチング装置１００の典型的な構成は、１．３ボルトのＭＩＰＩ電圧要求に適合できる。
【００１０】
一実施形態によれば、コンデンサ３８７は、バッファ１０４の出力（バッファ出力）と、供給電源（Ｖ＋）または出力ノード（駆動出力電圧ＶＯＵＴ）との間に配置できる（たとえば図３のコンデンサ３８７を参照）。コンデンサ３８７は、本システムにおけるスイッチング雑音を低減するために、比較的大きいものであることができる。一実施形態において、コンデンサ３８７は、最大約０．５ピコファラドの値を有することができる。比較的大きい静電容量の弊害は、比較的大きい静電容量の存在が相互接続部１１４において信号を遷移させるための追加電荷を要求することである。つまり、バッファ１０４が相互接続部１１４を介して受信駆動装置１０６に供給する信号の上昇期間と下降期間が、比較的大きい静電容量によって遅くなってしまうことがある。典型的には相互接続部１１４は、バッファ１０４の出力を、受信駆動装置１０６の入力に接続する集積回路に形成された一または複数の導電配線からなることを注記する。このようにバッファ１０４が相互接続部１１４の電圧を上昇させようとする場合、コンデンサ３８７の影響は、相互接続部１１４の電圧上昇を遅延し得る。バッファ１０４の出力電圧は典型的には供給電圧（１．３ボルト）よりも小さく、受信駆動装置１０６の閾値電圧Ｖｔｈは最大０．７ボルトである。よって、相互接続部１１４の電圧は、受信駆動装置１０６が別の状態への遷移を開始する前に、相互接続部１１４の電圧の最終値の約半分まで上昇させる必要がある。
【００１１】
一実施形態において、電流ブーストモジュール１０８は、信号の第１遷移部分の期間、バッファ１０４が相互接続部１１４における信号を一層速く駆動するようブーストできる。一実施形態では、バッファ出力遷移のうちの第１遷移部分の期間において、バッファ１０４の入力（バッファ入力）が遷移信号を有し且つバッファ１０４だけが相互接続部１１４を駆動する場合に生じうるバッファ１０４の出力信号の遅い遷移時間をスピードアップするために、ブーストを遷移開始後に所定期間継続することがある。
【００１２】
電流ブーストモジュール１０８は、バッファ１０４の出力が電圧閾値に達したという所定状態を検出した場合、ブースト電流の供給をシャットダウンすることによってブースト段階を完了できる。一旦ブースト電流が止められれば、バッファ１０４は、相互接続部１１４における信号遷移を、ブースト無しの定常状態値で完了できる。第２遷移部分の繊維束度、つまりバッファ１０４の出力信号遷移の「非ブースト段階」の速度は、典型的には受信駆動装置１０６のスイッチング速度には著しく影響しない。従ってブースト電流は、第２遷移部分の期間においては必要ではない。
【００１３】
ブースト電流をバッファ１０４の遷移期間の全体にわたって供給することもできる。しかし、バッファ遷移の第２遷移部分の期間においてブースト電流を切る。よって、バッファ１０４の出力が定常状態電圧値をオーバーシュートするようなことを防止する。つまり、雑音の発生を回避できる。従ってここで教示される装置と方法は、低電圧装置における信号遷移をスピードアップできるし、更に、そのような遷移によって生じる雑音と干渉を低減できる。用語「供給すること」は、電流に関するように（たとえば電流を供給する）、電流の発生と遮断を意味すると理解されることを注記する。
【００１４】
開示した実施形態において、閾値電圧は、典型的には０．２５ボルト〜０．７ボルトの範囲の、電流ブーストモジュール１０８のトランジスタの閾値電圧であることが可能である。一実施形態において、補足の金属酸化膜半導体（ＣＭＯＳ）トランジスタが利用され、電流ブーストモジュール１０８のトランジスタの閾値電圧は、受信駆動装置１０６のトランジスタに一致する。代わりに電流ブーストモジュール１０８のトランジスタは、ＶＴＨＡＤＪとラベル付けされる信号によって調整でき、電流ブーストモジュール１０８のトランジスタのｎ−ｗｅｌｌ体とｐ−ｗｅｌｌ体に対するバイアス基準であることができる。よって値Ｖｔｈａｄｊを調整し、電流ブーストモジュール１０８を通じて伝搬する信号の伝搬速度が調整できる。
【００１５】
図２は、図１のスイッチング装置１００のようなスイッチングモジュールに対する典型的な波形のグラフを示す。例示の単純さと明瞭さのために、図２に示す波形は、必ずしも実測するためには描かれておらず、グラフも正確なタイミング関係を正確には例示していないことが認識されるであろう。たとえば波形の大きさ（サイズ）、および波形遷移のうちの幾つかの遅延は、他の波形属性に比して誇張されることがある。
【００１６】
入力波形２０２によって表わされる入力電圧ＶＩＮは、図１のバッファ１０４に入力される理想的な入力信号である。ブースト電流が無い場合（No Boost=N/B）、バッファ１０４の出力電圧である無ブーストバッファ出力電圧Ｖ１１４  Ｎ／Ｂは、無ブーストバッファ出力波形２０４の増加遷移である無ブーストバッファ出力増加遷移２２０の傾きによって示すように、遷移が遅延することがある。相互接続部１１４における電圧である無ブーストバッファ出力電圧Ｖ１１４  Ｎ／Ｂの変化が遅延する場合、受信駆動装置１０６の出力波形である無ブースト駆動出力波形２０８は、理想的な無ブースト駆動出力増加遷移２１８によって示すように一層遅く遷移する。一般に、受信駆動装置１０６の出力電圧である駆動出力電圧ＶＯＵＴは、相互接続部１１４における無ブーストバッファ出力増加遷移２２０が受信駆動装置１０６の閾値電圧Ｖｔｈに達した時点、すなわち無ブースト出力増加時刻ｔ２において、状態間遷移を開始するであろう。無ブースト駆動出力波形２０８は、入力増加遷移２１６と無ブースト駆動出力増加遷移２１８の間の決定的なスイッチング遅延を示すための理想的な信号としても示されることを注記する。
【００１７】
遷移をブースト（支援）する電流ブーストモジュール１０８無しの場合、たとえば相互接続部１１４における信号スルーレートを増加させることによって低ロジック状態（たとえば０ボルト）から高ロジック状態（たとえば１．３ボルト）に信号遷移させそして低ロジック状態に戻すまでは、非常に遅い。この場合、回路応答には容認できない遅延が生じる。無ブースト駆動出力波形２０８が示すように、ブースト電流無し状態のスイッチング装置１００への入力電圧（ＶＩＮ）と、無ブースト駆動出力電圧（ＶＯＵＴ  Ｎ／Ｂ）との間の信号遅延は、入力増加時刻ｔ１（２１２）と無ブースト出力増加時刻ｔ２（２１４）の間の期間によって表わされる。
【００１８】
本実施形態は、相互接続部１１４にブースト電流を供給する電流ブーストモジュール１０８を備える。よって、図１の相互接続部１１４における電圧である有ブーストバッファ出力波形２０６は、有ブースト駆動出力波形２１０を受信駆動装置１０６の閾値電圧Ｖｔｈまで速く駆動できる。有ブーストバッファ出力波形２０６は、ブースト電流が有る場合（With Boost=W/B）の相互接続部１１４における電圧を示す。有ブースト駆動出力波形２１０は、ブースト電流が有る場合の駆動出力電圧である有ブースト駆動出力電圧ＶＯＵＴ  Ｗ／Ｂを表わす。よって有ブースト駆動出力電圧ＶＯＵＴ  Ｗ／Ｂは、受信駆動装置１０６の入力である相互接続部１１４がブースト電流を伴う場合の、受信駆動装置１０６の出力信号である有ブースト駆動出力波形２１０を示す。
【００１９】
スイッチング装置１００がブースト電流を使用する場合、有ブースト駆動出力電圧ＶＯＵＴ  Ｗ／Ｂのロジック遷移の典型的な遅延は、入力電圧ＶＩＮの増加遷移である入力増加遷移２１６の時刻（入力増加時刻ｔ１）と、有ブーストバッファ出力波形２０６の増加遷移の時刻（有ブースト出力増加時刻ｔａ）の間の時間（遅延時間）によって表わされる。入力増加時刻ｔ１と無ブースト出力増加時刻ｔ２の間のスイッチング遅延は、ブースト電流を利用しないスイッチング装置１００のスイッチング遅延を表わす。一方、入力増加時刻ｔ１と有ブースト出力増加時刻ｔａの間のスイッチング遅延は、ブースト電流を利用するスイッチング装置１００のスイッチング遅延を表わす。電流ブーストモジュール１０８を備えるスイッチング装置１００は、スイッチング遅延を低減でき、スイッチング雑音を制御する。更に、相互接続部１１４における信号のスイッチング速度を増加でき、低電圧設計の欠点を克服する。更に、特定の負荷（たとえば相互接続部１１４）におけるスイッチング速度が増加することによって、装置入力から装置出力までの信号伝搬遅延を低減し、システム性能を改善できる。
【００２０】
スルーレートは、一般に、時間に対する電圧変化率として定義される。つまり、無ブーストバッファ出力電圧Ｖ１１４  Ｎ／Ｂにおける無ブーストバッファ出力増加遷移２２０の傾きは、典型的なバッファによって受信駆動装置１０６に供給される信号のスルーレートを図示する。受信駆動装置１０６の入力静電容量は、そのような遅い上昇速度と下降速度を生じさせることがある。
【００２１】
低スルーレートの信号は、電子装置の甚大な不感期間を生じさせる場合がある。なぜならばトランジスタのソース／ドレイン電極における信号スイッチング活動は、ゲート信号が閾値電圧まで遷移する期間において生じないからである。低スルーレートの影響によって各構成要素出力もまたゆっくりと遷移する傾向にあるため、装置の或る構成要素から別の構成要素まで遅延が複合化される。しかし本発明は、スイッチング装置のスイッチング遅延すなわち不感期間を低減できる。更に、スイッチング装置に関連する負荷の信号スルーレートを増加できる。一実施形態においてブースト電流は、図示のシステムのスルーレートを０．５Ｖ／ｎｓ以上改善できる。よって、不感期間を容易に低減する。
【００２２】
有ブーストバッファ出力波形２０６を観察することによって、入力増加時刻ｔ１（２１２）と無ブースト出力増加時刻ｔ２（２１４）の間において、遷移波形が異なる遷移ステップが生じることが認識できる。有ブーストバッファ出力電圧Ｖ１１４  Ｗ／Ｂは、定常状態条件すなわち典型的には０ボルトから上昇する、ブースト段階を有する。有ブーストバッファ出力電圧Ｖ１１４  Ｗ／Ｂの遷移段階は、第１遷移部分と第２遷移部分を有する。第１遷移部分は、上昇開始してから有ブースト出力増加時刻ｔａまでである。第２遷移部分は、有ブースト出力増加時刻ｔａと有ブースト出力増加完了時刻ｔｂの間である。第１遷移部分は、滑らかな遷移段階である第２遷移部分よりも、速いスルーレートで上昇できる。
【００２３】
つまり有ブーストバッファ出力波形２０６のブースト段階は、０ボルトから、受信駆動装置１０６の閾値電圧Ｖｔｈまで速く上昇する。ブースト電流が除去された場合、バッファ１０４は、滑らかな遷移段階である第２遷移部分の期間中に、低減されたスルーレートで、定常状態電圧に信号を駆動し続けることができることが認識されるであろう。受信駆動装置１０６の入力信号が受信駆動装置１０６の閾値電圧Ｖｔｈに達した場合、受信駆動装置１０６の出力は遷移開始するであろう。
【００２４】
図３は、図１のスイッチング装置１００に対応する典型的な回路の一実施形態を示す。図３は、具体的には図１のバッファ１０４に対応するインバータとしてのバッファ３０４と、図１の電流ブーストモジュール１０８に対応する電流ブーストモジュール３０８と、および図１の受信駆動装置１０６に対応する受信駆動装置３０６とを示す。
【００２５】
電流ブーストモジュール３０８は、第１電圧コンパレータ３９１と、第２電圧コンパレータ３９２と、ｐ型のＣＭＯＳトランジスタである第１トランジスタ３９５と、ｐ型のＣＭＯＳトランジスタである第２トランジスタ３９６と、ｎ型のＣＭＯＳトランジスタである第３トランジスタ３９７と、およびｎ型のＣＭＯＳトランジスタである第４トランジスタ３９８とを備える。
【００２６】
第１電圧コンパレータ３９１と第２電圧コンパレータ３９２は、それぞれ入力と出力を有する。第１電圧コンパレータ３９１の入力と、第２電圧コンパレータ３９２の入力は、それぞれバッファ３０４の出力に結合される。一実施形態において、第１電圧コンパレータ３９１と第２電圧コンパレータ３９２は、受信駆動装置３０６の第５トランジスタ３８５と第６トランジスタ３８６に一致するトランジスタを有する。その結果、第１電圧コンパレータ３９１と第２電圧コンパレータ３９２は、相互接続部３１４において同一の電圧で遷移する。また、信号Ｖｔｈａｄｊを調整することによって、第１電圧コンパレータ３９１と第２電圧コンパレータ３９２の電圧閾値は、受信駆動装置３０６のトランジスタとは多少異なる電圧で切換わるように修正できる。
【００２７】
電流ブーストモジュール３０８の第１トランジスタ３９５は、バッファ３０４の入力に接続されるゲート電極（制御電極）と、供給電圧（Ｖ＋）基準を提供する基準電圧ノードに接続されるソース電極（電流電極）と、およびドレイン電極とを有する。第２トランジスタ３９６は、第１遅延素子としての第１電圧コンパレータ３９１の出力に接続されるゲート電極と、第１トランジスタ３９５のドレイン電極に接続されるソース電極と、およびドレイン電極とを有する。第３トランジスタ３９７は、第２遅延素子としての第２電圧コンパレータ３９２の出力に接続されるゲート電極と、第２トランジスタ３９６のドレイン電極に接続されるドレイン電極と、およびソース電極とを有する。第４トランジスタ３９８は、バッファ３０４の入力に接続されるゲート電極と、第３トランジスタ３９７のソースに接続されるドレイン電極と、および接地基準電圧を提供する基準電圧ノードに接続されるソース電極とを有する。受信駆動モジュールとしての受信駆動装置３０６は、ｐ型トランジスタである第５トランジスタ３８５と、ｎ型トランジスタである第６トランジスタ３８６と、およびコンデンサ３８７とを備える。
【００２８】
コンデンサ３８７は、第１電極と第２電極を有する。コンデンサ３８７の第１電極は、コネクタとしての相互接続部３１４を通じてバッファ３０４の出力に接続される。第５トランジスタ３８５は、相互接続部３１４を通じてバッファ３０４の出力に接続されるゲート電極と、基準電圧ノードに接続されるソース電極と、およびドレイン電極とを有する。第６トランジスタ３８６は、相互接続部３１４を通じてバッファ３０４の出力に接続されるゲート電極と、第５トランジスタ３８５のドレイン電極に接続されるドレイン電極と、およびソース電極とを有する。代替の実施形態において、コンデンサ３８７は、相互接続部３１４とＶ＋の間に接続できる。
【００２９】
図３の電子装置の動作は、ＨＩＧＨ（Ｖ＋）とＬＯＷ（ＧＮＤ）とそれぞれ称されるロジック状態を使用して記述される。最初の定常状態条件中に、入力電圧ＶＩＮはＬＯＷであり、よって第１トランジスタ３９５をオンにし、第４トランジスタ３９８をオフにする。入力電圧ＶＩＮはＬＯＷであることによって、バッファ３０４の出力信号をＨＩＧＨにし、従って相互接続部３１４における信号をＨＩＧＨにする。定常状態において、バッファ３０４のＨＩＧＨロジック値は、第１電圧コンパレータ３９１と第２電圧コンパレータ３９２をそれぞれ通じて、第２トランジスタ３９６と第３トランジスタ３９７の両方のゲート電極に供給されるＨＩＧＨをもたらし、よって第２トランジスタ３９６をオフにし、第３トランジスタ３９７をオンにする。
【００３０】
定常状態条件の更なる結果として、入力電圧ＶＩＮはＬＯＷ信号であり、第２トランジスタ３９６と第４トランジスタ３９８が両方ともオフである場合、３状態条件がノード３９０において存在する（よって、ブースト電流は相互接続部３１４に供給されていないことを示す）。
【００３１】
入力電圧ＶＩＮがＬＯＷからＨＩＧＨに遷移開始すると、バッファ３０４は遷移開始前に遅延するであろう。この遅延は、入力電圧ＶＩＮがＬＯＷから、バッファ３０４を構成するトランジスタ（図示略）の電圧閾値まで遷移するのにどのくらいの時間が必要であるかに基づく。同様に第４トランジスタ３９８はオンし始め、従って入力電圧ＶＩＮが第４トランジスタ３９８のＶｔに達する場合に通電するであろう（同時に、遷移の結果として第１トランジスタ３９５がオフに遷移されるであろうことを注記する）。第４トランジスタ３９８の通電開始時点において、入力電圧ＶＩＮの変化は、第２トランジスタ３９６と第３トランジスタ３９７のゲートにはバッファ３０４、第１電圧コンパレータ３９１、および第２電圧コンパレータ３９２を通じては依然として伝搬されない。よって、第２トランジスタ３９６と第３トランジスタ３９７の状態は、影響されないままである。結果としてブースト電流は、相互接続部３１４における信号遷移をスピードアップするために、相互接続部３１４に供給されるであろう。しかし、一旦、遷移信号が第２電圧コンパレータ３９２の出力に伝搬し、よって第３トランジスタ３９７にＬＯＷを供給して第３トランジスタ３９７をオフにすれば、ブースト電流は相互接続部３１４に供給されるのを止められるであろう。この方法は、相互接続部３１４における信号を一層速く遷移できる。
【００３２】
ＨＩＧＨからＬＯＷへの入力電圧ＶＩＮの遷移中に、ブースト電流は、第１トランジスタ３９５と第２トランジスタ３９６を通じて同様の方法で供給されることが認識されるであろう。電流ブーストモジュール３０８は、電流が立上がるか立下がるかに拘わらず、ブースト電流を相互接続部３１４に供給すると考えられることを注記する。
【００３３】
図４は、信号伝搬遅延の低減方法を示す。遷移入力信号は、バッファ１０４と電流ブーストモジュール１０８に供給される。図４のステップ４０２において電流ブーストモジュール１０８は、第１信号としての入力信号を検出する。ステップ４０４において電流ブーストモジュール１０８は、第２信号としてのバッファ１０４の出力信号を検出できる。ステップ４０８においてブースト電流は、検出した第１信号と第２信号に応答して供給される。ブースト電流は、入力ノードにおける信号の存在と、スイッチング装置１００の出力ノードの遷移との間の不感期間を低減すべく、上昇時間の第１遷移部分の期間において供給できる。ブースト電流は、オーバーシュートを回避するために、信号が完全に遷移するのに先立って止められることができる。
【００３４】
加えて、同様の設計上の課題または問題を抱えた未来のデータ伝送サブシステムまたは未来の回路は、ここでの教示に従って実施できることがある。利益、他の利点、および問題の解決策は、一実施形態に関して上で記述される。しかし、利益、利点、問題の解決策、および任意の利益、利点、または解決策を生じさせるか、一層明白にする任意の要素は、重大な、要求された、もしくは本質的な、請求の範囲のいずれかまたはすべての特徴または要素として解釈されるものではない。従って本開示は、ここで述べられた特定の形態に限定されるようには意図されていないが、これに反して、それは本開示の精神と範囲内に合理的に包含できるようにそのような代替物、修正物、および均等物を包含するように意図される。
【図面の簡単な説明】
【００３５】
【図１】本開示の一実施形態に係る装置のブロック図。
【図２】図１の装置の生成波形のタイミングチャート。
【図３】図１のブロック図に対応する回路図。
【図４】ライン駆動装置の遷移時間低減方法のフローチャート。
【図１】
2009527992.tif 000003
【図２】
2009527992.tif 000004
【図３】
2009527992.tif 000005
【図４】
2009527992.tif 000006
【国際調査報告】
2009527992.tif 000007